(57)【要約】【課題】スケジュール情報の表示時期を選択的に表示することができる電子機器を提供する。【解決手段】操作部２を操作して入力されたスケジュール情報をＲＡＭ６に記憶すると共にそのスケジュール情報をＲＯＭ７に予め記憶されたカンレンダー情報と照らし合わせて表示部３にスケジュール表示する際、入力されたスケジュール情報の予定日時に対して所定の日数前に選択的にスケジュール表示する。【選択図】      図７
2006260367.tif 000002
【特許請求の範囲】
【請求項１】
操作部を操作して入力されたスケジュール情報を記憶部に記憶すると共にそのスケジュール情報を前記記憶部に予め記憶されたカンレンダー情報と照らし合わせて表示部にスケジュール表示する電子機器において、
入力されたスケジュール情報の予定日時に対して所定の日数前に選択的にスケジュール表示することを特徴とする電子機器。
【請求項２】
操作部を操作して入力されたスケジュール情報を記憶部に記憶すると共にそのスケジュール情報を前記記憶部に予め記憶されたカンレンダー情報と照らし合わせて表示部にスケジュール表示する電子機器において、
入力されたスケジュール情報の予定日時に対して所定の時間前に選択的に表示部にスケジュール表示することを特徴とする電子機器。
【請求項３】
前記表示部には、入力されたスケジュール情報の予定日若しくは予定日時が過ぎるまでスケジュール表示が継続されることを特徴とする請求項１又は請求項２に記載の電子機器。
【請求項４】
前記表示部には、スケジュール情報毎に指定若しくは設定された優先順位の高いものから順に選択的にスケジュール表示がなされることを特徴とする請求項１乃至請求項３の何れかに記載の電子機器。
【請求項５】
操作部を操作して入力されたスケジュール情報を記憶部に記憶すると共にそのスケジュール情報を前記記憶部に予め記憶されたカンレンダー情報と照らし合わせて表示部にスケジュール表示する電子機器において、
前記操作部はスケジュール情報として予定日時と前記表示部にスケジュール表示を開始すべき日又は日時とを対応付けして入力し、前記表示部にはその対応付けされた表示開始日又は日時を基準に選択的にスケジュール表示することを特徴とする電子機器。
【請求項６】
操作部を操作して入力されたスケジュール情報を記憶部に記憶すると共にそのスケジュール情報を前記記憶部に予め記憶されたカンレンダー情報と照らし合わせて表示部にスケジュール表示する電子機器において、
前記操作部はスケジュール情報としてスケジュール種別と前記表示部にスケジュール表示を開始すべき日又は日時とを対応付けして入力し、前記表示部にはその対応付けされたスケジュール種別と表示開始日又は日時を基準に選択的にスケジュール表示することを特徴とする電子機器。
【請求項７】
操作部を操作して入力されたスケジュール情報を記憶部に記憶すると共にそのスケジュール情報を前記記憶部に予め記憶されたカンレンダー情報と照らし合わせて表示部にスケジュール表示する電子機器において、
前記操作部はスケジュール情報として予定日時とスケジュール種別と前記表示部にスケジュール表示を開始すべき日又は日時とを対応付けして入力し、前記表示部にはその対応付けされた予定日時とスケジュール種別と表示開始日又は日時を基準に選択的にスケジュール表示することを特徴とする電子機器。
【請求項８】
前記表示部は、複数のスケジュール情報の存在により表示開始日又は日時が重複している場合にはスケジュール種別の優先度に応じて選択的に表示することを特徴とする請求項７に記載の電子機器。
【請求項９】
表示開始日時となった際にアラーム音を鳴動するスピーカを備えていることを特徴とする請求項１乃至請求項８の何れかに記載の電子機器。
【発明の詳細な説明】
【技術分野】
【０００１】
本発明は、操作部を操作して入力されたスケジュール情報を記憶部に記憶すると共にそのスケジュール情報を予め記憶されたカンレンダー情報と照らし合わせて表示部にスケジュール表示する電子機器に関する。
【背景技術】
【０００２】
従来から、携帯電話、タブレットＰＣ（パーソナルコンピュータ）、ノートブックＰＣ、デスクトップＰＣといった操作部と表示部とを備えた電子機器には、カレンダー機能に関連付けしたスケジュール管理を可能としたものが周知である。
【０００３】
また、このようなスケジュール管理を可能としたものには、単に予定日時とその予定（内容）を月単位や週単位で表示する手帳方式の他、空いている日を省いた一覧として表示するものが知られている（例えば、特許文献１参照。）。
【０００４】
さらに、この特許文献１では、日程的に差し迫っている予定と余裕のある予定との視覚上の差別化を図るため、表示色を変えてスケジュール表示する旨の技術が開示されている。
【特許文献１】特開平１０−２７０８４号公報
【発明の開示】
【発明が解決しようとする課題】
【０００５】
ところで、上述した特許文献１に開示の電子機器にあっては、スケジュール内容に係わらず日程的な緊急度を視覚上で差別化しているため、例えば、公私の振り分けや、ある程度の準備を事前に有する予定（例えば、旅行や会議のプレゼン等）を考慮した優先度・緊急度を視覚上で差別化することができなかった。
【０００６】
また、特に携帯電話等の表示エリアが小さい電子機器では、入力した予定件数が多いと日程的に差し迫ったものしか表示することができず、旅行の準備や企画書の作成といった時間を要する予定が差し迫った時期に表示されてしまうという問題が生じていた。
【０００７】
そこで、本発明は、上記事情を考慮し、スケジュール情報の表示時期を選択的に表示することができる電子機器を提供することを目的とする。
【課題を解決するための手段】
【０００８】
請求項１に記載の電子機器は、操作部を操作して入力されたスケジュール情報を記憶部に記憶すると共にそのスケジュール情報を前記記憶部に予め記憶されたカンレンダー情報と照らし合わせて表示部にスケジュール表示する電子機器において、入力されたスケジュール情報の予定日時に対して所定の日数前に選択的にスケジュール表示することを特徴とする。
【０００９】
請求項１に記載の電子機器によれば、スケジュール情報の表示時期を、公私や内容に応じた優先度・緊急度を考慮した選択的な日基準の表示とすることができる。
【００１０】
請求項２に記載の電子機器は、作部を操作して入力されたスケジュール情報を記憶部に記憶すると共にそのスケジュール情報を前記記憶部に予め記憶されたカンレンダー情報と照らし合わせて表示部にスケジュール表示する電子機器において、入力されたスケジュール情報の予定日時に対して所定の時間前に選択的に表示部にスケジュール表示することを特徴とする。
【００１１】
請求項２に記載の電子機器によれば、スケジュール情報の表示時期を、公私や内容に応じた優先度・緊急度を考慮した選択的な時間基準の表示とすることができる。
【００１２】
請求項３に記載の電子機器は、前記表示部には、入力されたスケジュール情報の予定日若しくは予定日時が過ぎるまでスケジュール表示が継続されることを特徴とする。
【００１３】
請求項３に記載の電子機器によれば、設定した表示時期を優先度とした表示の継続を可能とすることができる。
【００１４】
請求項４に記載の電子機器は、前記表示部には、スケジュール情報毎に指定若しくは設定された優先順位の高いものから順に選択的にスケジュール表示がなされることを特徴とする。
【００１５】
請求項４に記載の電子機器によれば、スケジュール情報の表示時期を指定若しくは設定により決定することができる。
【００１６】
請求項５に記載の電子機器は、操作部を操作して入力されたスケジュール情報を記憶部に記憶すると共にそのスケジュール情報を前記記憶部に予め記憶されたカンレンダー情報と照らし合わせて表示部にスケジュール表示する電子機器において、前記操作部はスケジュール情報として予定日時と前記表示部にスケジュール表示を開始すべき日又は日時とを対応付けして入力し、前記表示部にはその対応付けされた表示開始日又は日時を基準に選択的にスケジュール表示することを特徴とする。
【００１７】
請求項５に記載の電子機器によれば、スケジュール情報の表示時期を、公私や内容に応じた優先度・緊急度を考慮した日時で指定された選択的な表示とすることができる。
【００１８】
請求項６に記載の電子機器は、操作部を操作して入力されたスケジュール情報を記憶部に記憶すると共にそのスケジュール情報を前記記憶部に予め記憶されたカンレンダー情報と照らし合わせて表示部にスケジュール表示する電子機器において、前記操作部はスケジュール情報としてスケジュール種別と前記表示部にスケジュール表示を開始すべき日又は日時とを対応付けして入力し、前記表示部にはその対応付けされたスケジュール種別と表示開始日又は日時を基準に選択的にスケジュール表示することを特徴とする。
【００１９】
請求項６に記載の電子機器によれば、スケジュール情報の表示時期を、公私や内容に応じた種別の優先度・緊急度を考慮した選択的な時間基準の表示とすることができる。
【００２０】
請求項７に記載の電子機器は、操作部を操作して入力されたスケジュール情報を記憶部に記憶すると共にそのスケジュール情報を前記記憶部に予め記憶されたカンレンダー情報と照らし合わせて表示部にスケジュール表示する電子機器において、前記操作部はスケジュール情報として予定日時とスケジュール種別と前記表示部にスケジュール表示を開始すべき日又は日時とを対応付けして入力し、前記表示部にはその対応付けされた予定日時とスケジュール種別と表示開始日又は日時を基準に選択的にスケジュール表示することを特徴とする。
【００２１】
請求項７に記載の電子機器によれば、スケジュール情報の表示時期を、公私や内容に応じた表示開始日とスケジュール種別とで優先度・緊急度を考慮した選択的な表示とすることができる。
【００２２】
請求項８に記載の電子機器は、前記表示部は、複数のスケジュール情報の存在により表示開始日又は日時が重複している場合にはスケジュール種別の優先度に応じて選択的に表示することを特徴とする。
【００２３】
請求項８に記載の電子機器によれば、スケジュール情報の表示時期に同日のものが存在していた場合、それらの優先度・緊急度を考慮した選択的な表示とすることができる。
【００２４】
請求項９に記載の電子機器は、表示開始日時となった際にアラーム音を鳴動するスピーカを備えていることを特徴とする。
【００２５】
請求項９に記載の電子機器によれば、表示の他の報知手段を兼備することができる。
【００２６】
ところで、表示開始日には、例えば、１０月２１日といった日付の特定の他、予定日の３日前といった日数の特定の双方を含むものとする。同様に、表示開始日時には、例えば、１０月２１日の０時（日付基準）或いは１０月２１日１３時（時間基準）からといった日付の特定の他、予定日時の３日前の０時（或いは何時間前）といった日数又は時間数の特定の双方を含むものとする。
【発明の効果】
【００２７】
本発明によれば、スケジュール情報の表示時期を選択的に表示することができる。
【発明を実施するための最良の形態】
【００２８】
本発明を適用してなる実施例は、スケジュールをユーザが登録可能なのは勿論のこと、予定日の何日前に予定があることを示す表示を行うか、或いは、予定日の何日前にアラームを鳴らすかをユーザが設定可能である。又、スケジュール内容に優先順位を設け、優先順位の高いものから優先的に表示可能とするものである。
【００２９】
次に、本発明の一実施形態に係る電子機器を携帯電話装置に適用し、図面を参照して説明する。
【００３０】
図８に示すように、電子機器としての携帯電話装置１は、テンキーやジョイステック等の各種スイッチを備えた操作部２と、常時はカレンダー（図８（Ａ）参照）やユーザー設定の背景等が表示され且つモード設定等の操作部２の操作や着呼時には所定の表示状態に切り換え表示される表示部３と、通話用とは別に着信音やブザー音等の鳴動時に音声が流れるスピーカ４と備え、必要に応じた操作部２の操作或いは設定による自動で表示部３にスケジュール表示（図８（Ｂ）参照）がなされる。
【００３１】
また、携帯電話装置１は、図７（Ａ）に示すように、操作部２の操作に基づく出力信号が制御部５で制御され、発信・着信等の電話機能や各種モード機能の設定等が可能となっている。尚、携帯電差装置１の電話機能は本発明の要旨ではないため、ここではその説明は省略する。また、制御部５は記憶部としてのＲＡＭ６及びＲＯＭ７にそれぞれ記憶されたスケジュール情報及びカレンダー情報に基づいて表示部３にスケジュール表示を行う。このスケジュール表示の際、制御部５は報知のためのアラーム音をスピーカ４から鳴動させると共に、タイマ８のカウントによってその繰り返し報知（鳴動）回数を管理している。
【００３２】
次に、本実施形態に係る電子機器について、図１乃至図６を参照しつつスケジュール情報の入力から表示に至る機能を説明する。
【００３３】
図１に示すように、本発明で利用するスケジュール情報は、ユーザー設定による日付内容優先順位設定（ステップＳ１，Ｓ２）と、種類別設定による種類内容優先順位設定とが組み合わせにより利用可能となっている。
【００３４】
ユーザー設定とは、図２に示した設定時における表示部３での表示状態の変化を示した説明図に示すように、スケジュール日時（予定日時）、スケジュール内容、表示開始日、表示開始時刻、アラーム機能の有無、アラーム設定（アラーム開始日、開示時刻、繰り返しの有無、繰り返し間隔、繰り返し回数）、優先順位指定等の設定を行うことができ、この図２に示した表示状態を確認しつつ、操作部２を操作して設定作業を行うものである。
【００３５】
また、種類別設定とは、図３に示した設定時における表示部３での表示状態の変化を示した説明図に示すように、スケジュール日時（予定日時）、スケジュール内容、種別選択（公私種別選択・公的種別選択・私的種別選択）、表示開始日、表示開始日詳細設定、表示開始時刻、アラーム機能の有無、アラーム設定（以下、図２と同様のため図示せず）等の設定を行うことができ、この図３に示した表示状態を確認しつつ、操作部２を操作して設定作業を行うものである。
【００３６】
即ち、図１と図２に示す日付内容優先順位設定とは、スケジュールの内容、表示開始時、アラームの鳴動開始時、優先順位（Ａ，Ｂ、Ｃ）等を入力し、スケジュールを表示する際には、優先順位（Ａ、Ｂ、Ｃ）に従って表示する。尚、優先順位は、Ａが最も優先順位が高く、Ｃが最も優先順位が低いものとする。
【００３７】
又、図１と図３に示す種類内容優先順設定とは、スケジュールの内容、スケジュールの表示開始日、種類別等を表示し、スケジュールを表示する際には、種類別に従って表示する。尚、優先順位は、公的種別選択が選択されたスケジュールが、私的種別選択が選択されたスケジュールよりも優先的に表示される。
【００３８】
尚、何れの設定においても、アラーム設定を行った場合には、ＲＡＭ６に記憶されたスケジュール情報とＲＯＭ７に記憶されたカレンダー情報とに基づいて、図４に示すように、アラーム時刻になった時点で（ステップＳ１１）アラームが鳴動し（ステップＳ１２）、繰り返し鳴動有無によって（ステップＳ１３）繰り返し鳴動有りの場合には設定された回数だけ繰り返してアラームが鳴動され（ステップＳ１４）、以降、図５又は図６に示した表示に関するルーチンに移行する。
【００３９】
図５に示した表示ルーチンは種類別設定によるスケジュール情報とユーザー設定によるスケジュール情報とが混同していた場合、種類別設定かユーザー設定かに拘らず、優先順位と指定した表示開始日時を基準に選択的に表示する形式である。
【００４０】
まず、図２に示したアラームルーチン後（繰り返し鳴動設定の場合には第１回目の鳴動後）、アラーム鳴動対象（鳴動の有無に関係ない）となったスケジュール情報が種類別設定で日時設定されたスケジュール情報であるか否かが判断され（ステップＳ２１）、種類別設定で日時設定されたスケジュール情報の場合にはその優先度（Ａ，Ｂ，Ｃ）を確認（ステップＳ２２，Ｓ２３，Ｓ２４，Ｓ２５）確認し、表示順序を決定する。尚、種類別設定された場合には、会議を最優先Ａとし、出張をＢ、デートや旅行をＣという風に予め装置内部のプログラムで設定しておいても良いし、ユーザーが予め設定しておいても良い。
【００４１】
次に、ユーザー設定で日時設定されたスケジュール情報であるか否かが判断され（ステップＳ２６）、ユーザー設定で日時設定されたスケジュール情報の場合にはその優先度（Ａ，Ｂ，Ｃ）を確認（ステップＳ２６，Ｓ２７，Ｓ２９，Ｓ３０）を確認し、表示順序を決定する。
【００４２】
ここで、例えば、日時順として、公的優先度Ａ（７日前表示開始指定）としたスケジュール情報である「１０月２４日（金）  １３：００〜１５：００  宣伝会議（資料作成）」が存在し、私的優先度Ｂ（１日前表示開始指定）としたスケジュール情報である「１０月２５日（土）  １８：００〜  デート（渋谷駅）」が存在し、私的優先度Ｃ（３日前表示開始指定）としたスケジュール情報である「１０月２６日（日）  １２：００〜  実家（父還暦）」が存在し、公的優先度Ａ（７日前表示開始指定）としたスケジュール情報である「１０月２８日（火）  １３：３０〜  仙台出張（１１：１３東京）」及び「１０月３０日（木）  １０：００〜  鳥取出張（１０：３７羽田）」が存在していたとする。
【００４３】
この際、図５に示したルーチンの場合、図７（Ｂ）に示すように、表示部２には、当日のスケジュールは最優先するとして、
「１０月２４日（金）  １３：００〜１５：００  宣伝会議（資料作成）」
「１０月２８日（火）  １３：３０〜            仙台出張（１１：１３東京）」
「１０月３０日（木）  １０：００〜            鳥取出張（１０：３７羽田）」
「１０月２５日（土）  １８：００〜            デート（渋谷駅）」
「１０月２６日（日）  １２：００〜            実家（父還暦）」
の優先順位で表示される。
【００４４】
尚、例えば１０月２１日の表示形態としては、宣伝会議、仙台出張のみが表示される。なぜなら、宣伝会議と仙台出張は予定日の７日前から表示するものであり、即ち、宣伝会議は１７日から、仙台出張は２１日から表示され、一方、鳥取出張は予定日の１日前である２３日から、デートは予定日の３日前である２４日から、実家は予定日の３日前である２３日から表示されるからである。
又、この際、文字の色を、公的スケジュール情報は赤色系、私的スケジュール情報は青色系としたり、優先順位Ａ，Ｂ，Ｃの優先順位が高いほど色の濃い色で表示するといった差別化を図ることができる。
【００４５】
次に本実施例の別の実施形態について説明する。
【００４６】
図６に示した表示ルーチンは種類別設定によるスケジュール情報とユーザー設定によるスケジュール情報とが混同していた場合、ユーザー設定を優先して、優先順位と指定した表示開始日時を基準に選択的に表示する形式である。
【００４７】
即ち、種類別設定のみの場合、ユーザー設定のみの場合、種類別設定とユーザー設定とが混在している場合とを識別し、混在している場合にはそれらの優先度を相対的に考慮してユーザー設定を最優先するものである。
【００４８】
具体的には、図２に示したアラームルーチン後（繰り返し鳴動設定の場合には第１回目の鳴動後）、アラーム鳴動対象（鳴動の有無に関係ない）となったスケジュール情報が種類別設定で日時設定されたスケジュール情報であるか否かが判断され（ステップＳ３１）、種類別設定がある場合にはユーザー設定が混在しているかが判断され（ステップＳ３２）、種類別設定がない場合にはユーザー設定のみかが判断され（ステップＳ３３）たる。
【００４９】
さらに、ステップＳ３２でユーザー設定が混在していない場合には、種類別設定のみのスケジュール情報が存在しているとして、その種類別設定に基づく優先度でスケジュール表示がなされ（ステップＳ３４、Ｓ３５，Ｓ３６，Ｓ３７）、ユーザー設定のみのスケジュール情報が存在している場合にはそのユーザー設定に基づく優先度でスケジュール表示がなされ（ステップＳ３８、Ｓ３９，Ｓ４０，Ｓ４１）る。
【００５０】
そして、種類別設定とユーザ設定とが混在していた場合、ユーザー設定に基づく優先度（Ａ，Ｂ，Ｃ）を確認（ステップＳ４２，Ｓ４３，Ｓ４４，Ｓ４５）を確認したうえで、種類別設定の優先度（ステップＳ３４、Ｓ３５，Ｓ３６，Ｓ３７）よりもユーザー設定を優先して表示順序を決定（ステップＳ４６）する。
【００５１】
ここで、例えば、日時順として、種類別公的優先度Ａ（７日前表示開始指定）としたスケジュール情報である「１０月２７日（月）  １３：００〜１５：００  宣伝会議（資料作成）」が存在し、ユーザー別優先度Ａ（７日前表示開始指定）としたスケジュール情報である「１０月２７日（月）  １８：００〜  デート（渋谷駅）」が存在し、種類別私的優先度Ｃ（３日前表示開始指定）としたスケジュール情報である「１０月２６日（日）  １２：００〜  実家（父還暦）」が存在し、種類別公的優先度Ｂ（７日前表示開始指定）としたスケジュール情報である「１０月２８日（火）  １３：３０〜  仙台出張（１１：１３東京）」及び「１０月３０日（木）  １０：００〜  鳥取出張（１０：３７羽田）」が存在していたとする。
【００５２】
この際、図５に示したルーチンの場合、表示部２には、当日は最優先するとして、
「１０月２７日（月）  １８：００〜            デート（渋谷駅）」
「１０月２７日（月）  １３：００〜１５：００  宣伝会議（資料作成）」
「１０月２８日（火）  １３：３０〜            仙台出張（１１：１３東京）」
「１０月３０日（木）  １０：００〜            鳥取出張（１０：３７羽田）」
「１０月２６日（日）  １２：００〜            実家（父還暦）」
の順で表示される。尚、この際、文字の色を、公的スケジュール情報は赤色系、私的スケジュール情報は青色系としたり、優先順位Ａ，Ｂ，Ｃの優先順位が高いほど色の濃い色で表示するといった差別化を図ることができる。
【００５３】
ところで、これらの表示は、表示開始設定後にその開始日若しくは開始時刻となった場合には、その予定日若しくはその予定時刻が過ぎるまで継続して表示がなされるが、表示開始日の指定数の差に起因して表示件数が増え、表示エリアの問題で継続して表示できない件数に至った場合には、次画面有り等の表示と共に操作部２の操作によって画面切り替え（ページ単位若しくは上下スクロール）を行っても良いし、優先順位に従って優先度の最も低いものから一時的に表示をしないように設定することも可能である。
【００５４】
また、公私の別は表示色のみの問題で指定するとして、図９に示すように、優先度（上記Ａ，Ｂ，Ｃの３つに限定されない）は公私に関係なく設定しても良い。この際、表示タイミングを開始日時ではなく優先度に応じた日別の回数としても良い。
【００５５】
さらに、予定日の入力は、テンキーを用いた入力の他、表示部３にカレンダー表示してスクロール等のカーソル移動により入力しても良い（この場合、図２，３，９の矢印イからスケジュール情報の入力画面となる）。
【００５６】
また、上述したスケジュール表示の他に、例えば、日曜日や月曜日（ユーザー設定可能）といった週の初めに、その週のスケジュールを日別で週間表示しても良いし、操作部２のモード設定スイッチ等の操作によってワンタッチで優先表示と週間表示との切り替えを行えるようにすることも可能である。
【図面の簡単な説明】
【００５７】
【図１】本発明の電子機器を示し、メインルーチンのフロー図である。
【図２】本発明の電子機器を示し、ユーザ設定時の表示状態の説明図である。
【図３】本発明の電子機器を示し、種別設定時の表示状態の説明図である。
【図４】本発明の電子機器を示し、アラーム鳴動ルーチンのフロー図である。
【図５】本発明の電子機器を示し、実施例１のルーチンのフロー図である。
【図６】本発明の電子機器を示し、実施例２のルーチンのフロー図である。
【図７】本発明の電子機器を示し、（Ａ）は主要構成のブロック図、（Ｂ）は表示部の優先表示状態の説明図である。
【図８】本発明の電子機器を示し、（Ａ）はカレンダー表示状態の電子機器としての携帯電話装置の正面図、（Ｂ）はスケジュール表示状態の電子機器としての携帯電話装置の正面図である。
【図９】本発明の電子機器を示し、他の種別設定時の表示状態の説明図である。
【符号の説明】
【００５８】
１・・・携帯電話装置（電子機器）、２・・・操作部、３・・・表示部、４・・・スピーカ、５・・・制御部、６・・・ＲＡＭ（記憶部）、７・・・ＲＯＭ（記憶部）、８・・・タイマ
【図１】
2006260367.tif 000003
【図２】
2006260367.tif 000004
【図３】
2006260367.tif 000005
【図４】
2006260367.tif 000006
【図５】
2006260367.tif 000007
【図６】
2006260367.tif 000008
【図７】
2006260367.tif 000009
【図８】
2006260367.tif 000010
【図９】
2006260367.tif 000011